(57)【要約】【課題】初回のコンタクト後に交流場所の合意ができず、振り出しに戻ってしまうことを回避する。【解決手段】交流者紹介サービス提供サーバ２は、ユーザを示すユーザ情報及び交流場所を示す交流場所情報をそれぞれ含む１以上の交流希望情報を格納するユーザデータベース２５と、ユーザデータベース２５に格納される１以上の交流希望情報のうち第１のユーザを示すユーザ情報を含む第１の交流希望情報に対する合意を示す第１の交流合意情報の登録を第２のユーザから受け付けるとともに、第１のユーザに対して交流の成立を通知する交流合意情報処理部２２と、を含む。【選択図】図３
2019185284.tif 000002
【特許請求の範囲】
【請求項１】
ユーザを示すユーザ情報及び交流場所を示す交流場所情報をそれぞれ含む１以上の交流希望情報を格納するユーザデータベースと、
前記ユーザデータベースに格納される１以上の交流希望情報のうち第１のユーザを示すユーザ情報を含む第１の交流希望情報に対する合意を示す第１の交流合意情報の登録を第２のユーザから受け付けるとともに、前記第１のユーザに対して交流の成立を通知する交流合意情報処理部と、
を含む交流者紹介サービス提供サーバ。
【請求項２】
互いに異なる交流場所候補を示す１以上の交流場所情報を格納する交流場所データベースと、
前記第１の交流希望情報に含まれる前記交流場所情報を前記交流場所データベースに格納される１以上の交流場所情報の中から前記第１のユーザに選択させる交流希望情報処理部と、
をさらに含む請求項１に記載の交流者紹介サービス提供サーバ。
【請求項３】
前記交流希望情報処理部は、前記第１のユーザに対し、交流場所情報の選択画面を起動するためのリンクを含む交流希望情報の入力画面を表示するよう構成され、
前記交流希望情報処理部は、前記リンクが選択された場合に、前記交流場所データベースに格納される１以上の交流場所情報のうちの少なくとも一部が選択可能に構成された選択画面を表示するよう構成される、
請求項２に記載の交流者紹介サービス提供サーバ。
【請求項４】
複数の場所情報を格納する場所データベースに格納される複数の場所情報の中の少なくとも一部を取り込み、前記交流場所情報として前記交流場所データベースに格納する場所情報処理部、
をさらに含む請求項３に記載の交流者紹介サービス提供サーバ。
【請求項５】
前記交流場所データベースはさらに、前記交流場所情報と、該交流場所情報に対応する前記交流希望情報の数を示す交流希望登録数、該交流場所情報に関して前記交流合意情報処理部により受け付けられた前記交流合意情報の数を示す交流合意登録数、及び、前記交流希望登録数に対する前記交流合意登録数の割合を示す交流合意成約率のいずれか少なくとも１つとを含む交流場所合意統計情報を含む、
請求項２に記載の交流者紹介サービス提供サーバ。
【請求項６】
前記交流希望情報処理部は、前記ユーザデータベースに格納される前記ユーザ情報と、前記交流場所データベースに格納される前記交流場所合意統計情報とに基づいて、前記交流場所データベースに格納される１以上の交流場所情報のうちの一部を選択し、選択した前記一部を前記交流場所情報の選択対象として前記第１のユーザに提示する、
請求項５に記載の交流者紹介サービス提供サーバ。
【請求項７】
前記第１の交流希望情報に含まれる前記交流場所情報を、複数の場所情報を格納する場所データベースに格納される複数の場所情報の中から前記第１のユーザに選択させる交流希望情報処理部、
をさらに含む請求項１に記載の交流者紹介サービス提供サーバ。
【請求項８】
ユーザを示すユーザ情報及び交流場所を示す交流場所情報をそれぞれ含む１以上の交流希望情報を格納するユーザデータベースと、
互いに異なる交流場所候補を示す１以上の交流場所情報を格納する交流場所データベースとを有するコンピュータを、
前記ユーザデータベースに格納される１以上の交流希望情報のうち第１のユーザを示すユーザ情報を含む第１の交流希望情報に含まれる前記交流場所情報を前記交流場所データベースに格納される１以上の交流場所情報の中から前記第１のユーザに選択させる交流希望情報処理部、及び、
前記第１の交流希望情報に対する合意を示す第１の交流合意情報の登録を第２のユーザから受け付けるとともに、前記第１のユーザに対して交流の成立を通知する交流合意情報処理部、
として機能させるためのプログラム。
【請求項９】
請求項８に記載のプログラムを記録したコンピュータ読み取り可能な記録媒体。
【発明の詳細な説明】
【技術分野】
【０００１】
本発明は、交流者紹介サービス提供サーバ、プログラム、及びコンピュータ読み取り可能な記録媒体に関する。
【背景技術】
【０００２】
近年、面識のない人物同士を引き合わせるサービスが注目されている。例えば特許文献１には、独身の男女を対象に、条件に適合する異性との出会いの機会を提供するサービスが開示されている。以下、このような面識のない人物同士を引き合わせる人物紹介サービスを「交流者紹介サービス」と総称する。
【先行技術文献】
【特許文献】
【０００３】
【特許文献１】特許第６２４２４５７号
【発明の概要】
【発明が解決しようとする課題】
【０００４】
しかしながら、従来の交流者紹介サービスにおいては、互いに条件の合うユーザ同士が初回のコンタクトを取った後に初回の交流場所を決める必要があったため、せっかく条件が合ったのに交流場所の合意ができず、振り出しに戻ってしまう場合があった。これではユーザがストレスを抱えてしまうので、サービス内容の改善が必要とされていた。
【０００５】
したがって、本発明の目的の一つは、初回のコンタクト後に交流場所の合意ができず、振り出しに戻ってしまうことを回避できる交流者紹介サービス提供サーバ、プログラム、及びコンピュータ読み取り可能な記録媒体を提供することにある。
【課題を解決するための手段】
【０００６】
本発明の第１の側面による交流者紹介サービス提供サーバは、ユーザを示すユーザ情報及び交流場所を示す交流場所情報をそれぞれ含む１以上の交流希望情報を格納するユーザデータベースと、前記ユーザデータベースに格納される１以上の交流希望情報のうち第１のユーザを示すユーザ情報を含む第１の交流希望情報に対する合意を示す第１の交流合意情報の登録を第２のユーザから受け付けるとともに、前記第１のユーザに対して交流の成立を通知する交流合意情報処理部と、を含む交流者紹介サービス提供サーバである。
【０００７】
本発明によれば、ユーザデータベースに格納される交流希望情報に交流場所情報が含まれるので、第２のユーザは、交流場所も確認したうえで、登録する第１の交流合意情報を選択することができる。したがって、初回のコンタクト後に交流場所の合意ができず、振り出しに戻ってしまうことの回避が可能になる。
【０００８】
本発明の第２の側面による交流者紹介サービス提供サーバは、第１の側面による交流者紹介サービス提供サーバにおいて、互いに異なる交流場所候補を示す１以上の交流場所情報を格納する交流場所データベースと、前記第１の交流希望情報に含まれる前記交流場所情報を前記交流場所データベースに格納される１以上の交流場所情報の中から前記第１のユーザに選択させる交流希望情報処理部と、をさらに含む交流者紹介サービス提供サーバである。これによれば、第１のユーザは、第１の交流希望情報に含める交流場所情報を容易に選択することができる。
【０００９】
上記第２の側面による交流者紹介サービス提供サーバにおいて、前記交流希望情報処理部は、前記第１のユーザに対し、交流場所情報の選択画面を起動するためのリンクを含む交流希望情報の入力画面を表示するよう構成され、前記交流希望情報処理部は、前記リンクが選択された場合に、前記交流場所データベースに格納される１以上の交流場所情報のうちの少なくとも一部が選択可能に構成された選択画面を表示するよう構成される、こととしてもよい。これによれば、第１のユーザは、交流希望情報の入力画面から容易に交流場所情報の選択画面を起動することができる。
【００１０】
この交流者紹介サービス提供サーバにおいて、複数の場所情報を格納する場所データベースに格納される複数の場所情報の中の少なくとも一部を取り込み、前記交流場所情報として前記交流場所データベースに格納する場所情報処理部、をさらに含むこととしてもよい。これによれば、システム外にある場所データベースに格納される場所情報を交流場所情報として活用することが可能になる。
【００１１】
上記第２の側面による交流者紹介サービス提供サーバにおいて、前記交流場所データベースはさらに、前記交流場所情報と、該交流場所情報に対応する前記交流希望情報の数を示す交流希望登録数、該交流場所情報に関して前記交流合意情報処理部により受け付けられた前記交流合意情報の数を示す交流合意登録数、及び、前記交流希望登録数に対する前記交流合意登録数の割合を示す交流合意成約率のいずれか少なくとも１つとを含む交流場所合意統計情報を含む、こととしてもよい。これによれば、第１のユーザは、交流希望登録数、交流合意登録数、及び交流合意成約率の少なくとも１つを確認したうえで、第１の交流希望情報に含める交流場所情報を選択することができる。
【００１２】
この交流者紹介サービス提供サーバにおいて、前記交流希望情報処理部は、前記ユーザデータベースに格納される前記ユーザ情報と、前記交流場所データベースに格納される前記交流場所合意統計情報とに基づいて、前記交流場所データベースに格納される１以上の交流場所情報のうちの一部を選択し、選択した前記一部を前記交流場所情報の選択対象として前記第１のユーザに提示する、こととしてもよい。これによれば、数多ある交流場所情報の中から第１のユーザに適したものを選択的に、交流場所候補として第１のユーザに対して提示することが可能になる。
【００１３】
上記第１の側面による交流者紹介サービス提供サーバにおいて、前記第１の交流希望情報に含まれる前記交流場所情報を、複数の場所情報を格納する場所データベースに格納される複数の場所情報の中から前記第１のユーザに選択させる交流希望情報処理部、をさらに含むこととしてもよい。これによっても、システム外にある場所データベースに格納される場所情報を交流場所情報として活用することが可能になる。
【００１４】
本発明によるプログラムは、ユーザを示すユーザ情報及び交流場所を示す交流場所情報をそれぞれ含む１以上の交流希望情報を格納するユーザデータベースと、互いに異なる交流場所候補を示す１以上の交流場所情報を格納する交流場所データベースとを有するコンピュータを、前記ユーザデータベースに格納される１以上の交流希望情報のうち第１のユーザを示すユーザ情報を含む第１の交流希望情報に含まれる前記交流場所情報を前記交流場所データベースに格納される１以上の交流場所情報の中から前記第１のユーザに選択させる交流希望情報処理部、及び、前記第１の交流希望情報に対する合意を示す第１の交流合意情報の登録を第２のユーザから受け付けるとともに、前記第１のユーザに対して交流の成立を通知する交流合意情報処理部、として機能させるためのプログラムである。
【００１５】
本発明によるコンピュータ読み取り可能な記録媒体は、上記プログラムを記録したコンピュータ読み取り可能な記録媒体である。
【発明の効果】
【００１６】
本発明によれば、ユーザデータベースに格納される交流希望情報に交流場所情報が含まれるので、第２のユーザは、交流場所も確認したうえで、第１の交流合意情報を登録するか否かを決定することができる。したがって、初回のコンタクト後に交流場所の合意ができず、振り出しに戻ってしまうことの回避が可能になる。
【図面の簡単な説明】
【００１７】
【図１】本発明の実施の形態による交流者紹介サービス提供サーバ２を含むネットワークシステム１の全体構成を示す図である。
【図２】交流者紹介サービスアプリの画面例を示す図である。
【図３】図１に示した交流者紹介サービス提供サーバ２及び場所情報提供サーバ４の機能ブロックを示す略ブロック図である。
【図４】図３に示したユーザデータベース２５及び交流場所データベース２６の構造を示す図である。
【図５】交流者紹介サービスアプリの画面例を示す図である。
【図６】交流者紹介サービスアプリの画面例を示す図である。
【図７】図１に示した交流者紹介サービス提供サーバ２が行う一連の処理を示すフロー図である。
【図８】第１及び第２のユーザ、交流者紹介サービスアプリ、ユーザデータベース２５、及び交流場所データベース２６の間で送受信される一連の信号を示す図である。
【発明を実施するための形態】
【００１８】
以下、添付図面を参照しながら、本発明の実施の形態について詳細に説明する。
【００１９】
図１は、本発明の実施の形態による交流者紹介サービス提供サーバ２を含むネットワークシステム１の全体構成を示す図である。同図に示すように、ネットワークシステム１は、交流者紹介サービス提供サーバ２と、複数のユーザ端末３と、場所情報提供サーバ４とがネットワーク５を通じて相互に接続された構成を有している。ネットワーク５は、例えばインターネットである。
【００２０】
交流者紹介サービス提供サーバ２は、１以上のコンピュータによって構成される装置であり、図示していないが、各種のプログラム及び関連する各種データを記憶する記憶装置と、記憶装置に記憶されるプログラムを読み出して実行するプロセッサと、ネットワーク５を介して他の装置（複数のユーザ端末３及び場所情報提供サーバ４を含む）との通信を行う通信装置と、キーボード及びディスプレイを含む入出力装置とを含んで構成される。後述する交流者紹介サービス提供サーバ２の処理は、交流者紹介サービス提供サーバ２のプロセッサがプログラムを実行することによって実現される。また、後述する各種データベースは、交流者紹介サービス提供サーバ２の記憶装置内に実装される。
【００２１】
複数のユーザ端末３はそれぞれ、パーソナルコンピュータ、スマートフォン、タブレット端末、携帯電話など、各種の個人向けコンピュータによって構成される。図示していないが、各ユーザ端末３も、各種のプログラム及び関連する各種データを記憶する記憶装置と、記憶装置に記憶されるプログラムを読み出して実行するプロセッサと、ネットワーク５を介して他の装置（交流者紹介サービス提供サーバ２及び場所情報提供サーバ４を含む）との通信を行う通信装置と、キーボード（又はタッチパネル）及びディスプレイを含む入出力装置とを含んで構成される。
【００２２】
場所情報提供サーバ４は、１以上のコンピュータによって構成される装置であり、図示していないが、各種のプログラム及び関連する各種データを記憶する記憶装置と、記憶装置に記憶されるプログラムを読み出して実行するプロセッサと、ネットワーク５を介して他の装置（複数のユーザ端末３及び場所情報提供サーバ４を含む）との通信を行う通信装置と、キーボード及びディスプレイを含む入出力装置とを含んで構成される。通常、場所情報提供サーバ４は、交流者紹介サービス提供サーバ２の運用主体（後述する交流者紹介サービスアプリの提供元）とは異なる主体によって運用される。
【００２３】
交流者紹介サービス提供サーバ２及び場所情報提供サーバ４はそれぞれ、複数のユーザ端末３に対して、サービスとしてのソフトウェア（ＳａａＳ：Software as a Service）を提供する役割を果たす。具体的には、例えばグーグル（登録商標）社が提供するＧｏｏｇｌｅ  Ｐｌａｙ（登録商標）やアップル（登録商標）社が提供するＡｐｐ  Ｓｔｏｒｅ（登録商標）などのアプリケーション提供プラットホームを通じて各ユーザ端末３に提供されるアプリケーション上で、ユーザに対するサービスを提供するよう構成される。別の例では、ブラウザ上で動作するアプリケーション上でユーザに対するサービスを提供するよう構成されることとしてもよい。以下の説明では、交流者紹介サービス提供サーバ２がサービス提供のために用いるアプリケーションを「交流者紹介サービスアプリ」と称し、場所情報提供サーバ４がサービス提供のために用いるアプリケーションを「場所情報アプリ」と称する。
【００２４】
図２は、交流者紹介サービスアプリの画面例を示す図であり、スマートフォンであるユーザ端末３のディスプレイに表示される画面を表している。
【００２５】
図２に示すように、交流者紹介サービスアプリによって表示される画面には、リクエスト受信画面と、マッチング画面と、メッセージ画面とが含まれる。このうちリクエスト受信画面は、他のユーザが交流者紹介サービス提供サーバ２に登録した交流のリクエスト１１を表示するための画面である。詳しくは後述するが、すべてのユーザのリクエスト受信画面にすべてのリクエスト１１が表示されるわけではなく、リクエスト１１を登録するユーザは、登録に際してそのリクエスト１１を受信するユーザを指定することができる。
【００２６】
各リクエスト１１は、図２に示すように、そのリクエスト１１を登録したユーザによって提案された交流場所を示す交流場所情報１１ａと、そのリクエスト１１を登録したユーザを示すユーザ情報１１ｂとを含んで構成される。図２においては、交流場所情報１１ａとして、交流場所の名称を示す文字列と、交流場所のイメージ（交流場所の写真、又は、交流場所で提供されている料理の写真など）を示す画像とを例示している。また、ユーザ情報１１ｂとして、ユーザのイメージ（ユーザの写真など）を示す画像と、ユーザに関する情報（居住地／年齢など）を示す文字列とを例示している。
【００２７】
リクエスト受信画面においては、まだユーザによる合意／辞退の判定がなされていない１以上のリクエスト１１のうち、登録日時（又は受信日時）が最も古い１つが表示される。リクエスト１１の表示領域の下方には合意ボタン１１Ｙ及び辞退ボタン１１Ｎが表示されており、ユーザは、このうちのいずれかをタップすることにより、表示中のリクエスト１１について合意／辞退の判定結果を入力する。ユーザが合意ボタン１１Ｙをタップした場合、表示中のリクエスト１１に関するマッチング画面が表示される。一方、ユーザが辞退ボタン１１Ｎをタップした場合、表示されるリクエスト１１が次に古いリクエスト１１に切り替わる。
【００２８】
ここで、合意ボタン１１Ｙ又は辞退ボタン１１Ｎのタップと同様の効果を、表示中のリクエスト１１のスワイプ動作に持たせることも可能である。例えば、交流者紹介サービスアプリは、ユーザが表示中のリクエスト１１を右にスワイプした場合に、合意ボタン１１Ｙがタップされた場合と同様の動作を行い、ユーザが表示中のリクエスト１１を左にスワイプした場合に、辞退ボタン１１Ｎがタップされた場合と同様の動作を行うこととしてもよい。
【００２９】
マッチング画面は、リクエスト１１が合意されたことを示す画面であり、図２に示すように、そのリクエスト１１を登録したユーザとの交流を開始したことを示すテキスト（例えば、図２に示す「あなたと○○さんはマッチングしました」のような記述）と、そのユーザとの間でメッセージングを開始するためのメッセージング開始ボタン１２とを含んで構成される。ユーザがメッセージング開始ボタン１２をタップした場合、図２に示すように、対応するリクエスト１１を登録したユーザとの間でメッセージングを行うためのメッセージ画面が表示される。
【００３０】
本発明の特徴の一つは、リクエスト１１に交流場所情報１１ａが含まれる点にある。この特徴により、ユーザは、交流場所を確認したうえで、合意ボタン１１Ｙをタップするか否かを決めることができる。したがって、初回のコンタクト後に交流場所の合意ができず、振り出しに戻ってしまうことを回避可能となる。
【００３１】
図１に戻る。場所情報提供サーバ４がサービス提供のために用いる場所情報アプリは、ユーザに対し、各種の場所情報を提供する機能を有するアプリである。典型的な場所情報アプリはレストラン情報を提供するグルメアプリであるが、レストラン以外の場所（映画館、美術館、イベント、コンサート、観光地、スポーツ施設、貸し会議室など）の情報を提供するアプリケーションであってもよい。図２に示した交流場所情報１１ａは、典型的には、場所情報アプリによって提供される１以上の場所の中から、ユーザによって選択された場所を示すものとなる。
【００３２】
図３は、本実施の形態による交流者紹介サービス提供サーバ２及び場所情報提供サーバ４の機能ブロックを示す略ブロック図である。同図に示すように、本実施の形態による交流者紹介サービス提供サーバ２は機能的に、ユーザ情報処理部２０、交流希望情報処理部２１、交流合意情報処理部２２、場所情報処理部２３、ユーザデータベース２５、及び交流場所データベース２６を含んで構成される。また、場所情報提供サーバ４は、場所データベース４０を含んで構成される。
【００３３】
初めに各データベースについて説明すると、ユーザデータベース２５は、ユーザに関する情報を格納するデータベースであり、交流場所データベース２６は、交流場所に関する情報を格納するデータベースである。また、場所データベース４０は場所情報アプリによって使用されるデータベースであり、場所情報アプリによる提供の対象となる複数の場所情報を格納している。
【００３４】
図４は、ユーザデータベース２５及び交流場所データベース２６の構造を示す図である。以下、この図４も参照しながら、ユーザデータベース２５及び交流場所データベース２６に格納される情報と、ユーザ情報処理部２０、交流希望情報処理部２１、交流合意情報処理部２２、及び場所情報処理部２３のそれぞれによって実行される処理とについて、詳細に説明する。
【００３５】
初めに、交流場所データベース２６には、交流場所テーブル、交流場所合意統計テーブル、年齢グループテーブル、及び年収グループテーブルが格納される。このうち交流場所テーブルは、互いに異なる交流場所候補を示す１以上の交流場所情報を格納するテーブルであり、主キーとしての交流場所ＩＤごとに、交流場所掲載ＵＲＬ、イメージ画像ＵＲＬ、及び交流場所名称を記憶するよう構成される。交流場所合意統計テーブル、年齢グループテーブル、及び年収グループテーブルについては、後述する。
【００３６】
交流場所ＩＤは、各交流場所情報に対してユニークに割り当てられる識別情報である。また、交流場所掲載ＵＲＬは、対応する交流場所の情報が掲載されたサイトのアドレスを示す文字列であり、イメージ画像ＵＲＬは、対応する交流場所のイメージ画像（例えば、建物や料理の写真）の格納先を示す文字列であり、交流場所名称は、対応する交流場所の名称を示す文字列である。
【００３７】
交流場所テーブルのレコード（＝交流場所情報）の追加は、場所情報処理部２３によって実行される。具体的に説明すると、場所情報処理部２３はまず、場所データベース４０に格納される１以上の場所情報の中から１以上の場所情報を選択し、取り込む。そして、取り込んだ各場所情報に対して交流場所ＩＤを割り当てるとともに、取り込んだ各場所情報から交流場所掲載ＵＲＬ、イメージ画像ＵＲＬ、及び交流場所名称を抽出し、割り当てた交流場所ＩＤ及び抽出した各情報を互いに対応付けて、交流場所情報として交流場所データベース２６に格納するよう構成される。このレコード追加処理は、ユーザから見るとバックグランドで実行される。
【００３８】
次に、ユーザデータベース２５には、人物属性テーブル、交流希望テーブル、交流合意テーブル、性別マスタ、及び居住地マスタが格納される。
【００３９】
人物属性テーブルは、交流者紹介サービスアプリのユーザを示すユーザ情報を格納するテーブルであり、主キーとしての人物ＩＤごとに、性別ＩＤ、居住地ＩＤ、年齢、年収、及び写真ＵＲＬを記憶するよう構成される。人物ＩＤは、交流者紹介サービスアプリのユーザに対してユニークに割り当てられる識別情報である。また、性別ＩＤは、ユーザの性別の選択肢（男性、女性、その他など）を記憶する性別マスタの主キーであり、居住地ＩＤは、ユーザの居住地の選択肢（国名、都道府県名、市区町村名など）を記憶する居住地マスタの主キーであり、年齢及び年収はそれぞれ数値情報であり、写真ＵＲＬは、ユーザの写真の格納先を示す文字列である。
【００４０】
人物属性テーブルのレコード（＝ユーザ情報）の追加は、ユーザ情報処理部２０がユーザの指示に応じて行う。具体的に説明すると、ユーザ情報処理部２０は、交流者紹介サービスアプリの新規ユーザ登録画面（図示せず）においてユーザが新規登録を希望した場合に、未使用の人物ＩＤを割り当てるとともに、新規ユーザ登録画面におけるユーザの入力データに基づいて、性別ＩＤ、居住地ＩＤ、年齢、年収、写真ＵＲＬを取得する。より具体的に言えば、ユーザ情報処理部２０は、性別マスタに記憶される性別の選択肢の中からユーザが選択したものに対応する性別ＩＤを取得し、居住地マスタに記憶される居住地の選択肢の中からユーザが選択したものに対応する居住地ＩＤを取得し、ユーザが入力した数値情報から年齢及び年収を取得し、ユーザがアップロードした写真の格納先を示す文字列を写真ＵＲＬとして取得する。そして、割り当てた人物ＩＤ並びに取得した性別ＩＤ、居住地ＩＤ、年齢、年収、写真ＵＲＬにより人物属性テーブルのレコードを新たに生成し、ユーザデータベース２５に格納する。
【００４１】
交流希望テーブルは、ユーザによる交流希望の意思表示を示す交流希望情報を格納するテーブルであり、主キーとしての交流希望管理ＩＤごとに、交流希望者ＩＤ（ユーザ情報）及び交流場所ＩＤ（交流場所情報）を記憶するよう構成される。交流希望管理ＩＤは、各交流希望情報に対してユニークに割り当てられる識別情報である。また、交流希望者ＩＤは、人物属性テーブルの主キー（すなわち、人物ＩＤ）であり、交流場所ＩＤは、交流場所テーブルの主キーである。なお、交流希望テーブルの各レコードには、他にも任意入力の文字列データ（後掲する図５に示すメッセージ入力欄１６ｃにおいてユーザが入力するもの）が含まれ得るが、図４では記載を省略している。
【００４２】
交流希望テーブルのレコード（＝交流希望情報）の追加は、交流希望情報処理部２１によって実行される。具体的に説明すると、交流希望情報処理部２１は、ユーザに対し、交流希望情報の入力画面（後掲する図５を参照）を表示するよう構成される。詳しくは後述するが、この入力画面には交流場所情報の選択画面を起動するためのリンク（後述する図５に示す起動ボタン１３）が含まれており、交流希望情報処理部２１は、ユーザがこのリンクを選択したこと（タップしたこと）を契機として、交流場所情報を含む交流希望情報の登録にかかる一連の処理を開始する。交流場所情報を選択したユーザが交流希望情報の登録を決定すると、交流希望情報処理部２１は、その交流希望情報に未使用の交流希望管理ＩＤを割り当てるとともに、そのユーザを示す人物ＩＤを交流希望者ＩＤとして取得し、さらに、ユーザが選択した交流場所情報に対応する交流場所ＩＤを取得する。そして、割り当てた交流希望管理ＩＤ並びに取得した交流希望者ＩＤ及び交流場所ＩＤにより交流希望テーブルのレコードを新たに生成し、ユーザデータベース２５に格納する。
【００４３】
また、交流希望情報処理部２１は、交流希望テーブルのレコードを新たに生成した場合に、生成したレコード内の各情報に基づいて図２に示したリクエスト１１を生成するとともに、ユーザに交流希望情報の送信先となる他のユーザを選択させる。そして、生成したリクエスト１１を、選択された他のユーザのリクエスト受信画面（図２を参照）に追加する処理を行う。この場合において、図２に示したユーザ情報１１ｂの具体的な内容は、生成したレコードに含まれる交流希望者ＩＤと対応付けて人物属性テーブルに記憶される各種情報に基づいて決定される。また、交流場所情報１１ａの具体的な内容は、生成したレコードに含まれる交流場所ＩＤと対応付けて交流場所テーブルに記憶される各種情報に基づいて決定される。
【００４４】
交流合意テーブルは、交流希望情報に対する合意を示す交流合意情報を格納するテーブルであり、主キーとしての交流合意管理ＩＤごとに、交流希望者ＩＤ、交流合意者ＩＤ、及び交流場所ＩＤを記憶するよう構成される。交流合意管理ＩＤは、各交流合意情報に対してユニークに割り当てられる識別情報である。また、交流希望者ＩＤ及び交流合意者ＩＤはそれぞれ、人物属性テーブルの主キー（すなわち、人物ＩＤ）であり、交流場所ＩＤは、交流場所テーブルの主キーである。
【００４５】
交流合意テーブルのレコード（＝交流合意情報）の追加は、交流合意情報処理部２２によって実行される。具体的に説明すると、交流合意情報処理部２２は、図２に示した合意ボタン１１Ｙがユーザによってタップされた場合（又は、リクエスト１１がユーザによって右にスワイプされた場合）に、そのユーザからの交流合意情報の登録を受け付け、未使用の交流合意管理ＩＤを割り当てるとともに、そのユーザの人物ＩＤを交流合意者ＩＤとして取得する。また、交流合意情報処理部２２は、対応する交流希望情報を入力したユーザの人物ＩＤを交流希望者ＩＤとして取得するとともに、対応する交流希望情報に含まれる交流場所ＩＤを取得する。そして、割り当てた交流合意管理ＩＤ並びに取得した交流合意者ＩＤ、交流希望者ＩＤ、及び交流場所ＩＤにより交流合意テーブルのレコードを新たに生成し、ユーザデータベース２５に格納する。
【００４６】
交流合意テーブルのレコードを新たに生成した交流合意情報処理部２２は、対応する２人のユーザに対して、交流の成立を通知する。図２に示したマッチング画面は、この通知により表示される画面の一例である。この通知により、ユーザ間での交流（具体的には、図２に示したメッセージ画面でのメッセージの送受信）が開始される。
【００４７】
交流場所データベース２６に戻り、年齢グループテーブルは、主キーとしての年齢グループＩＤごとに、年齢下限値及び年齢上限値を記憶するテーブルであり、年収グループテーブルは、主キーとしての年収グループＩＤごとに、年収下限値及び年収上限値を記憶するテーブルである。これらのテーブルは、交流場所合意統計テーブルにレコードを追加する際に利用される。
【００４８】
交流場所合意統計テーブルは、交流希望情報及び交流合意情報の統計を示す交流場所合意統計情報を格納するテーブルであり、主キーとしての交流場所合意統計ＩＤごとに、交流場所ＩＤ、交流意思表示者性別ＩＤ、交流意思表示者居住地ＩＤ、交流意思表示者年齢グループＩＤ、交流意思表示者年収グループＩＤ、交流希望登録数、交流合意登録数、交流合意成約率を記憶するよう構成される。交流場所合意統計ＩＤは、各交流場所合意統計情報に対してユニークに割り当てられる識別情報である。また、交流場所ＩＤ、交流意思表示者性別ＩＤ、交流意思表示者居住地ＩＤ、交流意思表示者年齢グループＩＤ、及び交流意思表示者年収グループＩＤはそれぞれ、交流場所テーブルの主キー、性別マスタの主キー（すなわち、性別ＩＤ）、居住地マスタの主キー（すなわち、居住地ＩＤ）、年齢グループテーブルの主キー（すなわち、年齢グループＩＤ）、及び年収グループテーブルの主キー（すなわち、年収グループＩＤ）である。以下、交流場所ＩＤ、交流意思表示者性別ＩＤ、交流意思表示者居住地ＩＤ、交流意思表示者年齢グループＩＤ、及び交流意思表示者年収グループＩＤの組み合わせを「統計基礎情報」と称する。
【００４９】
交流希望登録数は、同一レコード内の統計基礎情報に対応する交流希望情報の数を示す数値であり、交流合意登録数は、同一レコード内の統計基礎情報に関して交流合意情報処理部２２が受け付けた交流合意情報の数を示す数値である。また、交流合意成約率は、交流希望登録数に対する交流合意登録数の割合（＝交流合意登録数÷交流希望登録数）である。交流希望登録数、交流合意登録数、交流合意成約率の初期値は、いずれも０である。
【００５０】
交流場所合意統計テーブルのレコード（＝交流場所合意統計情報）の追加は、交流希望情報処理部２１及び交流合意情報処理部２２のそれぞれによって実行される。具体的に説明すると、まず交流希望情報処理部２１は、上述したようにして交流希望情報の登録を受け付けた場合に、対応する交流希望情報を入力したユーザの性別ＩＤ、居住地ＩＤ、年齢、年収を人物属性テーブルから取得するとともに、対応する交流場所ＩＤを取得し、さらに、取得した年齢に対応する年齢グループＩＤを年齢グループテーブルから取得するとともに、取得した年収に対応する年収グループＩＤを年収グループテーブルから取得する。交流合意情報処理部２２は、交流合意情報の登録を受け付けた場合に、同様の取得処理を行う。
【００５１】
交流希望情報処理部２１及び交流合意情報処理部２２はそれぞれ、上記取得処理に続けて、取得した交流場所ＩＤ、性別ＩＤ、居住地ＩＤ、年齢グループＩＤ、年収グループＩＤの組み合わせと一致する統計基礎情報を含むレコードを交流場所合意統計テーブルの中から選択する。そして交流希望情報処理部２１は、選択したレコードの中に含まれる交流希望登録数を１増加させるとともに、最新の交流合意登録数を最新の交流希望登録数で除することによって得られる数値により、選択したレコードの中に含まれる交流合意成約率を更新する処理を行う。また、交流合意情報処理部２２は、選択したレコードの中に含まれる交流合意登録数を１増加させる処理を行うとともに、最新の交流合意登録数を最新の交流希望登録数で除することによって得られる数値により、選択したレコードの中に含まれる交流合意成約率を更新する処理を行う。こうして更新されていく交流場所合意統計情報は、交流希望情報の登録時に交流希望情報処理部２１が交流場所情報の選択画面を生成するために使用される。
【００５２】
以下、交流希望情報の登録時における交流希望情報処理部２１の動作について、具体的な画面の例を参照しながら詳しく説明する。
【００５３】
図５及び図６はそれぞれ、交流者紹介サービスアプリの画面例を示す図であり、いずれもスマートフォンであるユーザ端末３のディスプレイに表示される画面を表している。
【００５４】
交流希望情報処理部２１はまず、ユーザの指示に応じて、図５に示した交流希望情報入力画面を表示する。この画面には、図示するように、交流場所の選択画面を起動するための起動ボタン１３が含まれる。ユーザによって起動ボタン１３がタップされた場合、交流希望情報処理部２１は、これから作成しようとする交流希望情報に含まれることになる交流場所情報を、交流場所データベース２６に格納される１以上の交流場所情報又は場所データベース４０に格納される１以上の場所情報の中からユーザに選択させるための選択画面の表示を行う。
【００５５】
図５に示した交流場所選択画面は、ユーザが起動ボタン１３を押した場合に表示される選択画面の一例を示している。この例による交流希望情報処理部２１は、選択画面を表示する際に、図４に示した交流場所テーブルに記憶される複数の交流場所情報の中から１以上の交流場所情報を選択する。そして、選択した交流場所情報ごとに、その内容（交流場所名称、イメージ画像等）と選択ボタン１４ａとを含む小画面１４を生成し、画面上に一覧で表示する。小画面１４内に、交流場所テーブルに格納される交流場所掲載ＵＲＬに対するハイパーリンクを設けてもよい。交流希望情報処理部２１は、ユーザによって選択ボタン１４ａがタップされた場合に、対応する交流場所情報を、ユーザが選択した交流場所情報として取得する。
【００５６】
交流希望情報処理部２１による１以上の交流場所情報の選択について詳しく説明すると、交流希望情報処理部２１は、ユーザデータベース２５に格納されるユーザ情報と、交流場所データベース２６に格納される交流場所合意統計情報とに基づいて、選択画面に表示する交流場所情報を選択するよう構成される。より具体的には、交流希望情報処理部２１は、初めに人物属性テーブルにアクセスし、交流希望情報を入力中のユーザの情報（具体的には、性別ＩＤ、居住地ＩＤ、年齢、年収）を取得する。そして、交流場所合意統計テーブルから、この情報と一致する統計基礎情報（交流場所ＩＤを除く）を含むレコードを取り出し、それぞれの交流合意成約率を取得する。そして、取得した交流合意成約率（交流希望登録数又は交流合意登録数でもよい）の高いレコードから順に所定数を選択し、選択した所定数のレコードに対応する所定数の交流場所情報を選択画面に表示する。
【００５７】
ここで、交流希望情報処理部２１は、以上のようにして選択した１以上の交流場所情報に対し、それぞれの交流合意成約率（交流希望登録数又は交流合意登録数でもよい）に従って優先順位を付与し、付与した優先順位に基づいて小画面１４の表示順を制御することが好適である。さらに、交流希望情報処理部２１は、例えば最も高い優先順位を付与した交流場所情報を他の情報よりも目立つように表示することとしてもよい。例えば図５の交流場所選択画面では、店舗Ａの小画面１４内に「あなたへのオススメ！」のような推奨文１４ｂを記載することによって、店舗Ａの交流場所情報が他の情報よりも目立つように表示されている。このようにすることで、交流が成立する確率を高めることが可能になる。
【００５８】
図５に示したウェブビュー画面は、ユーザが起動ボタン１３を押した場合に表示される選択画面の他の一例を示している。ウェブビュー画面は、例えば他社のグルメサイトが表示されるフレーム１５ａと、フレーム１５ａ外に配置された選択ボタン１５ｂとを有して構成される。フレーム１５ａに表示されたグルメサイト内においてユーザが店舗を検索し、ある店舗の詳細ページが表示されている状態で選択ボタン１５ｂをタップすると、交流希望情報処理部２１は、フレーム１５ａ内に表示中の情報からその店舗の情報（店舗ＵＲＬ、イメージ画像ＵＲＬ、店舗名称など）を抽出し、ユーザが選択した交流場所情報として取得する。なお、図３に示した場所情報処理部２３は、こうして取得された交流場所情報を、交流場所テーブルに１つのレコードとして追加することが好適である。
【００５９】
ユーザの選択による交流場所情報を取得した交流希望情報処理部２１は、交流場所情報の選択画面を消去した後、図５に示す交流希望条件設定画面を表示する。この画面には、図示するように、選択された交流場所情報を示す交流場所情報１６ａと、設定ボタン１６ｂとが含まれる。交流場所情報１６ａには、例えば図示するように、交流場所の名称を示す文字列と、交流場所のイメージを示す画像とが含まれる。交流希望情報処理部２１は、設定ボタン１６ｂがタップされた場合に、タップしたユーザを示す人物ＩＤである交流希望者ＩＤと、交流場所情報１６ａに対応する交流場所ＩＤとを含む交流希望情報を生成する。そして、生成した交流希望情報に未使用の交流希望管理ＩＤを割り当て、図４に示した交流希望テーブルに新規レコードとして登録する。
【００６０】
ここで、交流希望情報は任意の文字列データを含むこととしてもよい。例えば、図５の交流希望条件設定画面内に示したメッセージ入力欄１６ｃは、ユーザが文字列データを入力するための領域である。交流希望条件設定画面内にこのメッセージ入力欄１６ｃが含まれる場合、交流希望情報処理部２１は、メッセージ入力欄１６ｃに入力された文字列データを、交流希望情報の一部として交流希望テーブルに登録するよう構成される。この場合、交流希望情報処理部２１は、図２に示したリクエスト１１内にこの文字列データも表示することが好ましい。
【００６１】
交流希望情報を新たに登録した交流希望情報処理部２１は、図６に示すユーザ選択画面を表示する。ユーザ選択画面は、交流希望情報を登録したユーザに、登録した交流希望情報の送信先となる他のユーザを選択させるための画面である。交流希望情報処理部２１は、人物属性テーブルの各レコードに基づいて１以上のユーザのプロフィール画面１７ａを生成し、１枚ずつユーザ選択画面に表示するよう構成される。なお、プロフィール画面１７ａには、図示するように、ユーザのイメージを示す画像と、ユーザに関する情報（居住地／年齢など）を示す文字列とを含むことが好ましい。
【００６２】
ここで、交流希望情報処理部２１は、所定の基準に基づき、ユーザ選択画面におけるプロフィール画面１７ａの表示順を制御することが好適である。この所定の基準は、ユーザの選択による基準であってもよいし、１以上の他のユーザの評価による基準であってもよいし、その両方に基づいて決定される基準であってもよい。
【００６３】
交流希望情報処理部２１は、プロフィール画面１７ａを表示する際に、その下方に選択ボタン１７Ｙ及びスキップボタン１７Ｎを表示するよう構成される。ユーザが選択ボタン１７Ｙをタップした場合、交流希望情報処理部２１は、表示中のプロフィール画面１７ａに対応するユーザに対し、交流希望情報を送信する。これにより、そのユーザのリクエスト受信画面（図２を参照）に、この交流希望情報を示すリクエスト１１が追加される。一方、ユーザがスキップボタン１７Ｎをタップした場合、交流希望情報処理部２１は、表示中のプロフィール画面１７ａに対応するユーザには交流希望情報の送信を行わない。
【００６４】
ここで、図２に示したリクエスト受信画面の場合と同様に、選択ボタン１７Ｙ又はスキップボタン１７Ｎのタップと同様の効果を、表示中のプロフィール画面１７ａのスワイプ動作に持たせることも可能である。例えば、交流希望情報処理部２１は、ユーザが表示中のプロフィール画面１７ａを図６に例示するように右にスワイプした場合に、選択ボタン１７Ｙがタップされた場合と同様の動作を行い、ユーザが表示中のプロフィール画面１７ａを左にスワイプした場合に、スキップボタン１７Ｎがタップされた場合と同様の動作を行うこととしてもよい。
【００６５】
また、交流希望情報処理部２１は、ユーザがプロフィール画面１７ａをタップした場合に、図６に示したユーザ詳細画面を表示することとしてもよい。ユーザ詳細画面は、タップされたプロフィール画面１７ａに対応するユーザの詳細な情報を表示する画面であり、交流希望情報処理部２１は、人物属性テーブルから該当するユーザの情報を読み出すことによって、ユーザ詳細画面を生成する。ユーザ詳細画面の表示を行うことにより、交流希望情報の送信先となる他のユーザを選択しようとするユーザは、各ユーザの詳細を確認してから、交流希望情報を送信するか否かを決定することが可能になる。
【００６６】
次に、交流者紹介サービス提供サーバ２の動作について、処理のフロー図を参照しながら、再度より詳しく説明する。なお、以下の説明では、交流場所情報をユーザに選択させるための画面として、図５に示した交流場所選択画面を使用する場合を例に取って説明を行う。
【００６７】
図７は、交流者紹介サービス提供サーバ２が行う一連の処理を示すフロー図である。この処理では、まず初めに、交流希望情報処理部２１によりユーザ（以下、「第１のユーザ」という）に対して交流希望情報入力画面（図５を参照）が表示される（ステップＳ１）。この交流希望情報入力画面において第１のユーザが交流場所選択画面を起動するための操作（例えば、図５に示した起動ボタン１３のタップ操作）を行う（ステップＳ２）と、交流希望情報処理部２１は、第１のユーザのユーザ情報と、交流場所合意統計情報とに基づき、交流場所データベース２６に格納される１以上の交流場所情報のうちの一部を選択する（ステップＳ３）。この選択の詳細については、上述した通りである。そして交流希望情報処理部２１は、選択した１以上の交流場所情報を含む交流場所情報選択画面（図５を参照）を表示し（ステップＳ４）、第１のユーザによる交流場所情報の選択操作を受け付ける（ステップＳ５）。この選択操作は、例えば、図５に示した選択ボタン１４ａのタップ操作である。
【００６８】
交流場所情報の選択操作を受け付けた交流希望情報処理部２１は続いて、選択された交流場所情報を含む交流希望条件設定画面（図５を参照）を表示する（ステップＳ６）。この交流希望条件設定画面において第１のユーザが交流希望情報の登録を指示するための操作（例えば、図５に示した設定ボタン１６ｂのタップ操作）を行うと、交流希望情報処理部２１は、選択された交流場所情報を含む交流希望情報を生成し、図４に示した交流希望テーブルに登録する（ステップＳ８）とともに、交流場所合意統計情報を更新する（ステップＳ９）。以下、こうして第１のユーザが登録した交流希望情報を「第１の交流希望情報」と称する。ステップＳ９の更新は、具体的には、上述した交流希望登録数及び交流合意成約率の更新である。
【００６９】
次に交流希望情報処理部２１は、登録した交流希望情報の送信先となるユーザを選択するためのユーザ選択画面（図６を参照）を表示する（ステップＳ１０）。このユーザ選択画面において第１のユーザがあるユーザ（以下、「第２のユーザ」という）を選択する操作（例えば、図６に示した選択ボタン１７Ｙのタップ操作）を行う（ステップＳ１１）と、交流希望情報処理部２１は、選択された第２のユーザに対して、交流希望情報の送信を実施する（ステップＳ１２）。この送信は、具体的には、第２のユーザのユーザ端末３に表示されるリクエスト受信画面（図２を参照）へのリクエスト１１の追加である。
【００７０】
その後、交流合意情報処理部２２は、リクエスト受信画面における第２のユーザの操作を待機する（ステップＳ１３）。そして、第２のユーザが対応するリクエスト１１に合意する操作（例えば、図２に示した合意ボタン１１Ｙのタップ操作）を行った場合、交流合意情報処理部２２は、交流合意情報を生成し、図４に示した交流合意テーブルに登録する（ステップＳ１４）とともに、第１及び第２のユーザに対して、交流成立を通知する（ステップＳ１５）。さらに、交流場所合意統計情報の更新も行う（ステップＳ１６）。ステップＳ１６の更新は、具体的には、上述した交流合意登録数及び交流合意成約率の更新である。一方、第２のユーザが対応するリクエスト１１を辞退する操作（例えば、図２に示した辞退ボタン１１Ｎのタップ操作）を行った場合には、交流合意情報処理部２２は、ステップＳ１４〜Ｓ１６を行わずに処理を終了する。
【００７１】
次に、交流者紹介サービス提供サーバ２の動作について、今度はシーケンス図を参照しながら、再度さらに詳しく説明する。以下の説明においても、交流場所情報をユーザに選択させるための画面として、図５に示した交流場所選択画面を使用する場合を例に取って説明を行う。
【００７２】
図８は、上述した第１及び第２のユーザ、交流者紹介サービスアプリ、ユーザデータベース２５、及び交流場所データベース２６の間で送受信される一連の信号を示す図である。なお、図８に示す「交流者紹介サービスアプリ」は、交流者紹介サービス提供サーバ２により提供されるＳａａＳの全体を表しており、具体的には、図３に示したユーザ情報処理部２０、交流希望情報処理部２１、交流合意情報処理部２２、場所情報処理部２３を含む。
【００７３】
まず初めに、交流者紹介サービスアプリにより、第１のユーザに対して交流希望情報入力画面が提示される（ステップＳ１００）。これに対して第１のユーザが交流場所の選択画面の起動操作を行う（ステップＳ１０１）と、交流者紹介サービスアプリは、交流場所データベース２６において１以上の交流場所を検索し（ステップＳ１０２）、その結果として１以上の交流場所情報を交流場所データベース２６から取得する（ステップＳ１０３）。そして、取得した１以上の交流場所情報を含む交流場所選択画面を第１のユーザに対して提示する（ステップＳ１０４）。
【００７４】
こうして提示された交流場所選択画面において第１のユーザが交流場所情報を選択する（ステップＳ１０５）と、交流者紹介サービスアプリは、選択された交流場所情報を含む交流希望条件設定画面を第１のユーザに対して提示する（ステップＳ１０６）。そして、この交流希望条件設定画面において第１のユーザが交流希望情報の登録を指示した場合（ステップＳ１０７）に、交流者紹介サービスアプリは、交流希望情報を生成してユーザデータベース２５に登録するととともに、ユーザデータベース２５内の交流場所合意統計情報（具体的には、交流希望登録数及び交流合意成約率）を更新する処理を行う（ステップＳ１０８）。
【００７５】
続いて交流者紹介サービスアプリは、ユーザデータベース２５において１以上のユーザを検索し（ステップＳ１０９）、その結果として１以上のユーザ情報をユーザデータベース２５から取得する（ステップＳ１１０）。そして、取得した１以上のユーザ情報を含むユーザ選択画面を第１のユーザに対して提示する（ステップＳ１１１）。
【００７６】
こうして提示されたユーザ選択画面において第１のユーザが第２ユーザを選択したとする（ステップＳ１１２）と、交流者紹介サービスアプリは、第２ユーザに対して交流希望情報を送信する（ステップＳ１１３）。そして、第２のユーザがこの交流希望情報に対して合意操作を行う（ステップＳ１１４）と、交流者紹介サービスアプリは、交流合意情報を生成してユーザデータベース２５に登録するととともに、ユーザデータベース２５内の交流場所合意統計情報（具体的には、交流合意登録数及び交流合意成約率）を更新する処理を行う（ステップＳ１１５）。また、交流者紹介サービスアプリは、第１及び第２のユーザのそれぞれに対し、交流成立を通知する処理を行う（ステップＳ１１６，Ｓ１１７）。
【００７７】
以上説明したように、本実施の形態による交流者紹介サービス提供サーバ２によれば、ユーザデータベース２５に格納される交流希望情報に交流場所情報が含まれるので、交流希望情報を閲覧した第２のユーザは、交流場所も確認したうえで、交流合意情報を登録するか否かを決定することができる。したがって、初回のコンタクト後に交流場所の合意ができず、振り出しに戻ってしまうことの回避が可能になる。
【００７８】
また、交流希望情報の入力画面に交流場所情報の選択画面を起動するための起動ボタン１３を配置したので、交流希望情報を登録しようとする第１のユーザは、交流希望情報の入力画面から容易に交流場所情報の選択画面を起動することができる。
【００７９】
また、場所情報処理部２３により場所データベース４０に格納される複数の場所情報の中の少なくとも一部を取り込み、交流場所情報として交流場所データベース２６に格納することとしたので、システム外にある場所データベース４０に格納される場所情報を交流場所情報として活用することが可能になる。
【００８０】
また、交流場所データベース２６に、交流場所情報を含む統計基礎情報と、該交流場所情報を含む交流希望情報の数を示す交流希望登録数と、該交流場所情報に関して交流合意情報処理部２２により交流合意情報が受け付けられた数を示す交流合意登録数と、交流希望登録数に対する交流合意登録数の割合を示す交流合意成約率とを対応付ける交流場所合意統計情報を格納するようにしたので、交流希望情報を登録しようとする第１のユーザは、交流希望登録数、交流合意登録数、及び交流合意成約率の少なくとも１つを確認したうえで、交流希望情報に含める交流場所情報を選択することが可能になる。なお、上記実施の形態では、交流場所合意統計情報に交流希望登録数、交流合意登録数、交流合意成約率の３つすべてを含める例を説明したが、交流場所合意統計情報は、これらのうちのいずれか少なくとも１つを含んでいればよい。
【００８１】
また、ユーザデータベース２５に格納されるユーザ情報と、交流場所データベース２６に格納される交流場所合意統計情報とに基づいて、交流場所データベース２６に格納される１以上の交流場所情報のうちの一部を選択し、選択した一部を交流場所情報の選択対象として第１のユーザに提示するように交流希望情報処理部２１を構成したので、数多ある交流場所情報の中から第１のユーザに適したものを選択的に、交流場所候補として第１のユーザに対して提示することが可能になる。
【００８２】
さらに、図５の「ウェブビュー画面」を参照して説明したように、交流希望情報に含まれる交流場所情報を、複数の場所情報を格納する場所データベース４０に格納される複数の場所情報の中から第１のユーザに選択させるように交流希望情報処理部２１を構成することによっても、システム外にある場所データベース４０に格納される場所情報を交流場所情報として活用することが可能になる。
【００８３】
以上、本発明の好ましい実施の形態について説明したが、本発明はこうした実施の形態に何等限定されるものではなく、本発明が、その要旨を逸脱しない範囲において、種々なる態様で実施され得ることは勿論である。
【００８４】
例えば、上記実施の形態では、交流場所ＩＤ、交流意思表示者性別ＩＤ、交流意思表示者居住地ＩＤ、交流意思表示者年齢グループＩＤ、及び交流意思表示者年収グループＩＤの組み合わせを「統計基礎情報」として用いたが、統計基礎情報は少なくとも交流場所ＩＤ（交流場所情報）を含んでいればよい。統計基礎情報が交流場所ＩＤのみを含む場合、交流希望情報処理部２１は、交流場所情報の選択画面に表示する交流場所情報を選択する際にユーザ情報を参照しないこととしてもよい。すなわち、交流希望情報処理部２１は、交流場所合意統計テーブルに含まれるすべてのレコードを対象として、交流合意成約率（交流希望登録数又は交流合意登録数でもよい）の高いレコードから順に所定数を選択し、選択した所定数のレコードに対応する所定数の交流場所情報を選択画面に表示することが好適である。
【符号の説明】
【００８５】
１        ネットワークシステム
２        交流者紹介サービス提供サーバ
３        ユーザ端末
４        場所情報提供サーバ
５        ネットワーク
１１      リクエスト
１１Ｎ    辞退ボタン
１１Ｙ    合意ボタン
１１ａ    交流場所情報
１１ｂ    ユーザ情報
１２      メッセージング開始ボタン
１３      起動ボタン
１４      小画面
１４ａ    選択ボタン
１４ｂ    推奨文
１５ａ    フレーム
１５ｂ    選択ボタン
１６ａ    交流場所情報
１６ｂ    設定ボタン
１６ｃ    メッセージ入力欄
１７Ｎ    スキップボタン
１７Ｙ    選択ボタン
１７ａ    プロフィール画面
２０      ユーザ情報処理部
２１      交流希望情報処理部
２２      交流合意情報処理部
２３      場所情報処理部
２５      ユーザデータベース
２６      交流場所データベース
４０      場所データベース
【図１】
2019185284.tif 000003
【図２】
2019185284.tif 000004
【図３】
2019185284.tif 000005
【図４】
2019185284.tif 000006
【図５】
2019185284.tif 000007
【図６】
2019185284.tif 000008
【図７】
2019185284.tif 000009
【図８】
2019185284.tif 000010
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
ユーザを示すユーザ情報及び交流場所を示す交流場所情報をそれぞれ含む１以上の交流希望情報を格納するユーザデータベースと、
前記ユーザデータベースに格納される１以上の交流希望情報のうち第１のユーザを示すユーザ情報を含む第１の交流希望情報の送信先となる他のユーザを前記第１のユーザに選択させるためのユーザ選択画面を表示し、該ユーザ選択画面において前記第１のユーザが第２のユーザを選択した場合に、該第２のユーザに対して前記第１の交流希望情報を送信する交流希望情報処理部と、
前記第１の交流希望情報に対する合意を示す第１の交流合意情報の登録を第２のユーザから受け付けるとともに、前記第１のユーザに対して交流の成立を通知する交流合意情報処理部と、
を含み、
前記交流希望情報処理部は、前記ユーザデータベースに前記交流希望情報を１つも登録していないユーザを含む１以上のユーザを前記ユーザ選択画面に表示するよう構成される、
交流者紹介サービス提供サーバ。
【請求項２】
互いに異なる交流場所候補を示す１以上の交流場所情報を格納する交流場所データベースをさらに含み、
前記交流希望情報処理部は、前記第１の交流希望情報に含まれる前記交流場所情報を前記交流場所データベースに格納される１以上の交流場所情報の中から前記第１のユーザに選択させる、
請求項１に記載の交流者紹介サービス提供サーバ。
【請求項３】
前記交流希望情報処理部は、前記第１のユーザに対し、交流場所情報の選択画面を起動するためのリンクを含む交流希望情報の入力画面を表示するよう構成され、
前記交流希望情報処理部は、前記リンクが選択された場合に、前記交流場所データベースに格納される１以上の交流場所情報のうちの少なくとも一部が選択可能に構成された選択画面を表示するよう構成される、
請求項２に記載の交流者紹介サービス提供サーバ。
【請求項４】
複数の場所情報を格納する場所データベースに格納される複数の場所情報の中の少なくとも一部を取り込み、前記交流場所情報として前記交流場所データベースに格納する場所情報処理部、
をさらに含む請求項３に記載の交流者紹介サービス提供サーバ。
【請求項５】
前記交流場所データベースはさらに、前記交流場所情報と、該交流場所情報に対応する前記交流希望情報の数を示す交流希望登録数、該交流場所情報に関して前記交流合意情報処理部により受け付けられた交流合意情報の数を示す交流合意登録数、及び、前記交流希望登録数に対する前記交流合意登録数の割合を示す交流合意成約率のいずれか少なくとも１つとを含む交流場所合意統計情報を含む、
請求項２に記載の交流者紹介サービス提供サーバ。
【請求項６】
前記交流希望情報処理部は、前記ユーザデータベースに格納される前記ユーザ情報と、前記交流場所データベースに格納される前記交流場所合意統計情報とに基づいて、前記交流場所データベースに格納される１以上の交流場所情報のうちの一部を選択し、選択した前記一部を前記交流場所情報の選択対象として前記第１のユーザに提示する、
請求項５に記載の交流者紹介サービス提供サーバ。
【請求項７】
前記交流希望情報処理部は、前記第１の交流希望情報に含まれる前記交流場所情報を、複数の場所情報を格納する場所データベースに格納される複数の場所情報の中から前記第１のユーザに選択させる、
請求項１に記載の交流者紹介サービス提供サーバ。
【請求項８】
ユーザを示すユーザ情報及び交流場所を示す交流場所情報をそれぞれ含む１以上の交流希望情報を格納するユーザデータベースと、
互いに異なる交流場所候補を示す１以上の交流場所情報を格納する交流場所データベースとを有するコンピュータを、
前記ユーザデータベースに格納される１以上の交流希望情報のうち第１のユーザを示すユーザ情報を含む第１の交流希望情報に含まれる前記交流場所情報を前記交流場所データベースに格納される１以上の交流場所情報の中から前記第１のユーザに選択させ、前記第１の交流希望情報の送信先となる他のユーザを前記第１のユーザに選択させるためのユーザ選択画面を表示し、該ユーザ選択画面において前記第１のユーザが第２のユーザを選択した場合に、該第２のユーザに対して前記第１の交流希望情報を送信する交流希望情報処理部、及び、
前記第１の交流希望情報に対する合意を示す第１の交流合意情報の登録を第２のユーザから受け付けるとともに、前記第１のユーザに対して交流の成立を通知する交流合意情報処理部、
として機能させるためのプログラムであって、
前記交流希望情報処理部は、前記ユーザデータベースに前記交流希望情報を１つも登録していないユーザを含む１以上のユーザを前記ユーザ選択画面に表示するよう構成される、
プログラム。
【請求項９】
請求項８に記載のプログラムを記録したコンピュータ読み取り可能な記録媒体。
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
ユーザを示す人物ＩＤ及び交流場所を示す交流場所情報をそれぞれ含む１以上の交流希望情報を格納するユーザデータベースと、
前記ユーザデータベースに格納される１以上の交流希望情報のうち第１のユーザを示す人物ＩＤを含む第１の交流希望情報の送信先となる他のユーザを前記第１のユーザに選択させるためのユーザ選択画面を表示し、該ユーザ選択画面において前記第１のユーザが第２のユーザを選択した場合に、該第２のユーザに対して前記第１の交流希望情報を送信する交流希望情報処理部と、
前記第１の交流希望情報に対する合意を示す第１の交流合意情報の登録を第２のユーザから受け付けるとともに、前記第１のユーザに対して交流の成立を通知する交流合意情報処理部と、
を含み、
前記交流希望情報処理部は、前記ユーザデータベースに前記交流希望情報を１つも登録していないユーザを含む１以上のユーザを前記ユーザ選択画面に表示するよう構成される、
交流者紹介サービス提供サーバ。
【請求項２】
互いに異なる交流場所候補を示す１以上の交流場所情報を格納する交流場所データベースをさらに含み、
前記交流希望情報処理部は、前記第１の交流希望情報に含まれる前記交流場所情報を前記交流場所データベースに格納される１以上の交流場所情報の中から前記第１のユーザに選択させる、
請求項１に記載の交流者紹介サービス提供サーバ。
【請求項３】
前記交流希望情報処理部は、前記第１のユーザに対し、交流場所情報の選択画面を起動するためのリンクを含む交流希望情報の入力画面を表示するよう構成され、
前記交流希望情報処理部は、前記リンクが選択された場合に、前記交流場所データベースに格納される１以上の交流場所情報のうちの少なくとも一部が選択可能に構成された選択画面を表示するよう構成される、
請求項２に記載の交流者紹介サービス提供サーバ。
【請求項４】
複数の場所情報を格納する場所データベースに格納される複数の場所情報の中の少なくとも一部を取り込み、前記交流場所情報として前記交流場所データベースに格納する場所情報処理部、
をさらに含む請求項３に記載の交流者紹介サービス提供サーバ。
【請求項５】
前記交流場所データベースはさらに、前記交流場所情報と、該交流場所情報に対応する前記交流希望情報の数を示す交流希望登録数、該交流場所情報に関して前記交流合意情報処理部により受け付けられた交流合意情報の数を示す交流合意登録数、及び、前記交流希望登録数に対する前記交流合意登録数の割合を示す交流合意成約率のいずれか少なくとも１つとを含む交流場所合意統計情報を含む、
請求項２に記載の交流者紹介サービス提供サーバ。
【請求項６】
前記ユーザデータベースは、互いに異なる前記人物ＩＤをそれぞれ含み、かつ、互いに異なるユーザを示す１以上のユーザ情報を格納し、
前記交流希望情報処理部は、前記第１のユーザに関して前記ユーザデータベースに格納される前記ユーザ情報と、前記交流場所データベースに格納される前記交流場所合意統計情報とに基づいて、前記交流場所データベースに格納される１以上の交流場所情報のうちの一部を選択し、選択した前記一部を前記交流場所情報の選択対象として前記第１のユーザに提示する、
請求項５に記載の交流者紹介サービス提供サーバ。
【請求項７】
前記交流希望情報処理部は、前記第１の交流希望情報に含まれる前記交流場所情報を、複数の場所情報を格納する場所データベースに格納される複数の場所情報の中から前記第１のユーザに選択させる、
請求項１に記載の交流者紹介サービス提供サーバ。
【請求項８】
ユーザを示す人物ＩＤ及び交流場所を示す交流場所情報をそれぞれ含む１以上の交流希望情報を格納するユーザデータベースと、
互いに異なる交流場所候補を示す１以上の交流場所情報を格納する交流場所データベースとを有するコンピュータを、
前記ユーザデータベースに格納される１以上の交流希望情報のうち第１のユーザを示す人物ＩＤを含む第１の交流希望情報に含まれる前記交流場所情報を前記交流場所データベースに格納される１以上の交流場所情報の中から前記第１のユーザに選択させ、前記第１の交流希望情報の送信先となる他のユーザを前記第１のユーザに選択させるためのユーザ選択画面を表示し、該ユーザ選択画面において前記第１のユーザが第２のユーザを選択した場合に、該第２のユーザに対して前記第１の交流希望情報を送信する交流希望情報処理部、及び、
前記第１の交流希望情報に対する合意を示す第１の交流合意情報の登録を第２のユーザから受け付けるとともに、前記第１のユーザに対して交流の成立を通知する交流合意情報処理部、
として機能させるためのプログラムであって、
前記交流希望情報処理部は、前記ユーザデータベースに前記交流希望情報を１つも登録していないユーザを含む１以上のユーザを前記ユーザ選択画面に表示するよう構成される、
プログラム。
【請求項９】
請求項８に記載のプログラムを記録したコンピュータ読み取り可能な記録媒体。